(57)【特許請求の範囲】
【請求項１】
指の先端から第一関節までの長さを有し、伸縮性素材からなる筒状のサポーター本体であって、前記サポーター本体の指の内側の関節部の屈曲部分に矩形状の開口部を１ヵ所設け、手指の第一関節、又は、第二関節に装着することができ、前記サポーター本体の指の爪側の外周面上に、Ｘ字状に対向して弓状弾性素材を備え、前記弓状弾性素材が当接する部位は線状弾性素材で前記弓状弾性素材を固着し、手指の第一関節、又は、第二関節の曲げ伸ばしにおける関節部の支点軸を形成するとともに、前記支点軸の維持が可能となることを特徴とする手指関節用サポーター。
【請求項２】
指の先端から第一関節までの長さを有し、伸縮性素材からなる筒状のサポーター本体であって、前記サポーター本体の指の内側の関節部の屈曲部分に矩形状の開口部を１ヵ所設け、手指の第一関節、又は、第二関節に装着することができ、前記サポーター本体の外周面上の左右両側に、Ｘ字状に対向して弓状弾性素材を備え、前記弓状弾性素材が当接する部位は線状弾性素材で前記弓状弾性素材を固着し、手指の第一関節、又は、第二関節の曲げ伸ばしにおける関節部の支点軸を形成するとともに、前記支点軸の維持が可能になり、指の横方向の変形を改善することを特徴とする手指関節用サポーター。
【請求項３】
指の先端から第二関節までの長さを有し、伸縮性素材からなる筒状のサポーター本体であって、前記サポーターの指の内側の第一関節及び第二関節の屈曲部分に矩形状の開口部を各々１ヵ所設け、手指の第一関節と第二関節に装着可能とすることができ、前記サポーター本体の指の爪側の外周面上の手指第一関節及び第二関節の部位に、Ｘ字状に対向して弓状弾性素材を備え、前記弓状弾性素材が当接する部位は線状弾性素材で前記弓状弾性素材を固着し、手指の第一関節及び第二関節の曲げ伸ばしにおける関節部の支点軸を形成するとともに、前記支点軸の屈曲方向の維持が可能となることを特徴とする手指関節用サポーター。
【請求項４】
指の先端から第二関節までの長さを有し、伸縮性素材からなる筒状のサポーター本体であって、前記サポーターの指の内側の第一関節及び第二関節の屈曲部分に矩形状の開口部を各々１ヵ所設け、手指の第一関節と第二関節に装着可能とすることができ、前記サポーター本体の外周面上の左右両側の手指第一関節及び第二関節の部位に、Ｘ字状に対向して弓状弾性素材を備え、前記弓状弾性素材が当接する部位は線状弾性素材で前記弓状弾性素材を固着し、手指の第一関節及び第二関節の曲げ伸ばしにおける関節部の支点軸を形成するとともに、前記支点軸の維持が可能になり、指の横方向の変形を改善することを特徴とする手指関節用サポーター。
【発明の詳細な説明】
【技術分野】
【０００１】  手指の変形性指関節症であるヘバーデン結節やブシャール結節による腫れや変形を隠し、または回復期における患部部位の支持および保温効果を高め疼痛防止等の機能を持ち、手指関節に装着するサポーターに関するものである。
【背景技術】  手指第一関節に起きるヘバーデン結節や手指第二関節に起きるブシャール結節は、関節の腫れ、痛み、赤み、水ぶくれ、指のこわばり、骨の変形などがあり、発症すると指先が曲げにくくなり手作業が不便になる。【０００２】  手指第一関節や第二関節の腫れや変形した患者は、患部の屈曲を固定するため、テーピングや包帯を使用して指に過度のひねりが生じるのを防止し、その部分に作用する負荷を制限し、痛みを緩和しながら症状の進行防止や改善を図ることが多い。【０００３】  従来は、手指第一関節や第二関節の腫れや変形を隠すために文房具等の指サックを代用していた。また、手指の保護、整形できる整形保護キャップが知られているが、手指第一関節や第二関節患部を保護する専用のサポーターは存在しない（特許文献１参照）。【０００４】  樹脂を一度軟化させた後、固定したい指に合わせて硬化して指に巻き、指を固定して一定の圧迫感でサポートするサポーターは存在するが、変形性指関節症の患者にとって血流が悪くなり指がこわばり使用に適さない。【０００５】  指の第二関節部を覆うことで球技におけるボールなどからの衝撃を吸収し怪我を緩和する専用サポーターは存在するが、手指第一関節または第二関節の変形性指関節症の患部を覆い熱の放出を防止して保護及び支持するサポーターは存在しない。【０００６】  手の肘や足の膝の関節部の損傷防止、治療又は保温を目的としたサポーターとしては、側副靭帯に沿って支持具を設けることにより関節部を固定して可動域を制限する構造や伸縮性のあるバンドで関節部の前後のぶれを固定して可動域を制限する構造等のサポーターが提供されている（特許文献２参照）。
【先行技術文献】
【特許文献】
【０００７】
【特許文献１】特開２００４−４１６６２号公報
【特許文献２】特開２００９−４５３７８号公報
【発明の概要】
【発明が解決しようとする課題】
【０００８】  一般に女性に比較的多く発症するヘバーデン結節やブシャール結節の初期症状は、指が何かに触れた時や押さえると痛かったものが、何もしなくても痛むようになって指に力が入らず手作業が不自由になり、次第に第一関節または第二関節が腫れるようになってくる。【０００９】  この病気の症状が進むと第一関節または第二関節が腫れる、赤みを帯びる、熱をもつ、関節が痛む、手がこわばる、指がしびれる、水ぶくれができるなどがある。この病気の治療方法や対処方法はこれといって特別なものがなく、手を安静にしていても、良くはならない。指を動かさないと血流が悪くなり、よけいに指がこわばり、症状が悪化し痛みがひどくなる場合もある。【００１０】  この二つの病気の一番の問題は、指の関節の腫れや変形を伴うもので見た目であり、患部を隠す目的を特徴とする専用の指関節用サポーターが存在しないことである。【００１１】  患部の痛みが激しく、手指の第一関節や第二関節を保護するためにテーピングをする場合は、指は細くて短いため、十分な拘束力をもつ適切なテーピングを施術することが容易でなく、幅の狭いテーピングテープを使用するので、日常生活において剥がれてしまうことも多い。また、指にテーピングするのは慣れるまで違和感があり、指の動きに支障を来たし、強く巻きすぎると指の血流が悪くなり不快感を生じる。【００１２】  また、テーピングをすると粘着テープ剤の刺激により皮膚が炎症を起こし、肌がかぶれてしまうこともある。ゲル粘着剤を使用して適度な粘着力で、皮膚がひきつることなく、粘着剤が肌に残りにくいテーピングも存在するが、固定する力が弱く利用できない。テーピングをする際に、皮膚を守る非粘着のアンダーラップテープをした上で、通常のテープで固定する方法もあるが、テープを非常に巻きにくく、かつ、日常生活で容易に使用することは困難である。アンダーラップテープは水分を含むと膨張するので、台所での水仕事をする場合にテープを取り外さなければならないという欠点がある。【００１３】  肘関節又は膝関節等のように基本的に屈曲及び伸展が主機能である蝶番関節において、各関節部の靭帯又は軟組織の損傷を防止し、関節運動の機能を向上させ安定性を保持するサポーターは提供されているが、手指第一関節や第二関節のような細くて短い患部の専用サポーターはなかったという問題があった。【００１４】レジ、パソコン、携帯電話のキーボード入力を繰り返すことにより、手指の負荷がかかるため手指の第一関節、又は、第二関節を痛める症状の人が増えている。【００１５】  本発明は、手指の変形性指関節症であるヘバーデン結節やブシャール結節による手指の第一関節または第二関節の腫れや変形を隠し、保温等のテーピングと同様な効果をもたらしながら、関節運動の機能改善を目的とし、健常者においても使用可能であって、装着が簡単な手指関節用のサポーターを提供することを目的としている。
【課題を解決するための手段】
【００１６】
本発明の手指関節用サポーターは、指の先端から第一関節までの長さを有し、伸縮性素材からなる筒状のサポーターであって、前記サポーターの指の内側の関節部の屈曲部分に矩形状の開口部を１ヵ所設け、手指の第一関節、又は、第二関節に装着可能とすることを特徴としている。
【００１７】
請求項１記載の手指関節用サポーターは、段落番号００１６に記載の手指関節用サポーターの指の爪側の外周面上に、Ｘ字状に対向して弓状弾性素材を備え、前記弓状弾性素材が当接する部位は線状弾性素材で前記弓状弾性素材を固着し、手指の第一関節、又は、第二関節の曲げ伸ばしにおける関節部の支点軸を形成するとともに、前記支点軸の維持が可能となることを特徴としている。
【００１８】
請求項２記載の手指関節用サポーターは、段落番号００１６に記載の手指関節用サポーターの外周面上の左右両側に、Ｘ字状に対向して弓状弾性素材を備え、前記弓状弾性素材が当接する部位は線状弾性素材で前記弓状弾性素材を固着し、手指の第一関節、又は、第二関節の曲げ伸ばしにおける関節部の支点軸を形成するとともに、前記支点軸の維持が可能になり、指の横方向の変形を改善することを特徴としている。
【００１９】
さらに、本発明の手指関節用サポーターは、指の先端から第二関節までの長さを有し、伸縮性素材からなる筒状のサポーターであって、前記サポーターの指の内側の第一関節及び第二関節の屈曲部分に矩形状の開口部を各々１ヵ所設け、手指の第一関節と第二関節に装着可能とすることを特徴としている。
【００２０】
請求項３記載の手指関節用サポーターは、段落番号００１９に記載の手指関節用サポーターの指の爪側の外周面上の手指第一関節及び第二関節の部位に、Ｘ字状に対向して弓状弾性素材を備え、前記弓状弾性素材が当接する部位は線状弾性素材で前記弓状弾性素材を固着し、手指の第一関節及び第二関節の曲げ伸ばしにおける関節部の支点軸を形成するとともに、前記支点軸の屈曲方向の維持が可能となることを特徴としている。
【００２１】
請求項４記載の手指関節用サポーターは、段落番号００１９に記載の手指関節用サポーターの外周面上の左右両側の手指第一関節及び第二関節の部位に、Ｘ字状に対向して弓状弾性素材を備え、前記弓状弾性素材が当接する部位は線状弾性素材で前記弓状弾性素材を固着し、手指の第一関節及び第二関節の曲げ伸ばしにおける関節部の支点軸を形成するとともに、前記支点軸の維持が可能になり、指の横方向の変形を改善することを特徴としている。
【発明の効果】
【００２３】  手指第一関節に装着することにより、ヘバーデン結節による腫れや変形を隠すことができ、また、手指第二関節に装着することにより、ブシャール結節による腫れや変形を隠すことができ、回復期における患部部位の支持および保温効果を高め疼痛防止といったテーピングと同様の治療的効果をもたらすことができる。【００２４】  筒状サポーターで関節の屈曲部片側に開口部を設けることにより、可動範囲も広く、蒸れずに血流循環を妨げない効果も期待でき、通気性を重視する場合、伸縮性有するメッシュ素材等でも良い。伸縮性素材からなる筒状サポーターであるため、装着が簡単に行える上、装着し直すことも極めて容易である。【００２５】  Ｘ字状に対向して弓状弾性素材を備え、前記弓状弾性素材が当接する部位は線状弾性素材で前記弓状弾性素材を固着するため、伸筋および屈筋の際にかかるストレスを取り除いて鎮痛作用をもたらす。また関節のひねりを防止し、側副靱帯の伸びを的確に防いで痛みをやわらげることができる。したがって、変形性関節の症状のない健常者が携帯電話等のキーボード入力を繰り返すことにより、手指の負荷がかかり手指の第一関節、又は、第二関節を痛めた場合、指関節用サポーターとしても利用ができ、指先が開放されているので、キーボード入力に支障を来たすことは無いという利点もある。【００２６】また、素材をポリウレタン弾性繊維とすることにより、耐水機能を有するため取り外すことなく、台所等での水仕事をすることも可能である。
【図面の簡単な説明】
【００２７】
【図１】本発明を各指にはめた状態を示す斜視図。
【図２】本発明の実施形態を指の内側から見た例を示す説明図。
【図３】本発明の実施形態を指の爪側から見た弓状弾性体を備えた例を示す説明図。
【図４】本発明の実施形態を指の側面から見た弓状弾性体を備えた例を示す説明図。
【図５】本発明を２ヵ所の関節部位に装着する場合の実施形態を指の内側から見た例を示す説明図。
【図６】本発明を２ヵ所の関節部位に装着する場合の実施形態を指の爪側から見た弓状弾性体を備えた例を示す説明図。
【図７】本発明を２ヵ所の関節部位に装着する場合の実施形態を指の側面から見た弓状弾性体を備えた例を示す説明図。
【図８】本発明を２ヵ所の関節部位に装着する場合の実施形態を示指の側面から見た弓状弾性体を備えた例を示す視認図。
【図９】本発明を２ヵ所の関節部位に装着する場合の実施形態を示指の内側から見た弓状弾性体を備えた例を示す視認図。
【発明を実施するための形態】
【００２８】  以下、本発明を実施するための形態について図を参照しながら説明する。図１は、本発明に係る第一関節または第二関節の手指関節用サポーター１ａ、１ｂ、１ｃを各指の第一関節、又は、第二関節に装着した斜視図である。第一関節または第二関節の手指関節用サポーター１ａは、右手人指し指の第二関節に装着したものであり、第一関節または第二関節の手指関節用サポーター１ｂは、右手中指の第一関節に装着したものであり、第一関節または第二関節の手指関節用サポーター１ｃは、右手薬指の第一関節に装着したものである。
【００２９】  図２は、本発明に係る第一関節または第二関節の手指関節用サポーター１ａの指の内側から見た図である。第一関節または第二関節のサポーター本体２は、女性の示指から小指の平均的な指の先端部から第一関節までの長さに合わせ、かつ、第一関節または第二関節の周囲長に合わせた寸法を用意する。関節部の腫れや変形の状態によって筒状の径を変更する必要があるが、安価に提供することを考慮し、大中小の３種類の寸法を用意した。
筒状の径は３種類に限定されず、腫れや変形状態に合わせ、多種類の寸法に形成しても良い。指のサイズに対して小さすぎると第一関節または第二関節のサポーター本体２に指が締め付けられ屈曲が困難になり、血流循環が悪化し痛みを伴う場合がある。また、変形した関節部位のサイズに対して大きすぎると第一関節または第二関節のサポーター本体２は、指に対して遊動し抜けやすくなり、患部の保護を確保できなくなる。
したがって、可能な限り装着される関節部位のサイズに適合したものを用意することが、変形性指関節症による腫れや変形を隠すことができ、サポーターとしての機能を果たすことになる。
【００３０】  第一関節または第二関節のサポーター本体２は、ナイロン又はポリエステル等の繊維素材からなる筒状であって、筒の軸に平行する方向及び筒の円周方向に伸縮する伸縮性素材で構成されている。第一関節または第二関節のサポーター本体２は、当該素材に限定せず、伸縮性を有する織物であればどのようなものでもよく、通気性を重視する場合は、伸縮性を有するメッシュ構造であっても良い。また、素材をスイムウェアとして利用されているポリウレタン弾性繊維とすることにより、耐水機能を有するため取り外すことなく、台所等での水仕事をすることも可能となる。
【００３１】  第一関節または第二関節のサポーター本体２の指の内側の関節部の屈曲部分には、可動域を制限させないためと蒸れ防止を目的として通気性を向上させるために開口部３を１ヵ所設けている。開口部３は、指関節の指のしわ方向に長くなるように矩形状に、かつ、第一関節または第二関節のサポーター本体２の筒状の中央部に形成されている。
【００３２】  図３は、本発明に係る別な実施形態である第一関節または第二関節の手指関節用サポーター１ｂを指の爪側から見た図である。第一関節または第二関節の手指関節用サポーター１ｂは、関節部位の保護と指の安定性促進を目的とし、図２の第一関節または第二関節のサポーター本体２に加え、開口部３の対面の外周上に弓状弾性素材４を備え、弓状弾性素材４が当接する部位は線状弾性素材５で弓状弾性素材４を固着して構成される。
弓状弾性素材４は、もう一方の弓状弾性素材４と互いに背を向けるようにＸ字状に当接し、当接部分は線状弾性素材５により固着して形成される。
Ｘ字状に当接している弓状弾性素材４の交点と線状弾性素材５を固着することにより強度が増し、手指の第一関節、又は、第二関節の曲げ伸ばしにおける関節部の支点軸を形成するとともに、前記支点軸の維持が可能となる。なお、線状弾性素材５が開口部３の対面位置に配置することが、サポーター機能を安定して発揮するのに好ましい。
【００３３】  図４は、本発明に係る別な実施形態である第一関節または第二関節の手指関節用サポーター１ｃを指の側面から見た図であり。第一関節または第二関節の手指関節用サポーター１ｃは、関節部位の保護と指の横方向の維持が可能になり、ひねり防止となるように安定性促進を目的とし、図２の第一関節または第二関節のサポーター本体２に加え、図３と同様な弓状弾性素材４と線状弾性素材５を備えている。第一関節または第二関節の手指関節用サポーター１ｃは、開口部３から円周方向９０°の位置に、線状弾性素材５が配置されるように側面各々に１組ずつ形成されている。両方の側面に弓状弾性素材４と線状弾性素材５が設けられているため、指のひねりに対して痛みを和らげる顕著な効果が期待できる。
【００３４】  図３及び図４の弓状弾性素材４及び線状弾性素材５は、ゴムやシリコン素材等の弾性素材から構成されるが、当該素材に限定されるものではなく、弾性を有する素材であればどのようなものであってもよい。弓状弾性素材４と線状弾性素材５は、接着剤や繊維質の糸で縫いつけて固着させれば良い。
【００３５】  図５は、本発明に係る第一関節と第二関節の手指関節用サポーター６ａの指の内側から見た図であり、技術的特徴は図２と同様である。第一関節と第二関節のサポーター本体７は、女性の示指から小指の平均的な指の先端部から第二関節までの長さに合わせ、かつ、第一関節または第二関節の周囲長に合わせた寸法を用意する。関節部の腫れや変形の状態によって筒状の径を変更する必要があるが、安価に提供することを考慮し、大中小の３種類の寸法を用意した。
筒状の径は３種類に限定されず、腫れや変形状態に合わせ、多種類の寸法に形成しても良い。指のサイズに対して小さすぎると第一関節と第二関節のサポーター本体７に指が締め付けられ屈曲が困難になり、血流循環が悪化し痛みを伴う場合がある。また、変形した関節部位のサイズに対して大きすぎると第一関節と第二関節のサポーター本体７は、指に対して遊動し抜けやすくなり、患部の保護を確保できなくなる。
したがって、可能な限り装着される関節部位のサイズに適合したものを用意することが、変形関節による腫れや変形を隠すことができ、サポーターとしての機能を果たすことになる。
【００３６】  第一関節と第二関節のサポーター本体７は、ナイロン又はポリエステル等の繊維素材からなる筒状であって、筒の軸に平行する方向及び筒の円周方向に伸縮する伸縮性素材で構成されている。第一関節と第二関節のサポーター本体７は、当該素材に限定せず、伸縮性を有する織物であればどのようなものでもよく、通気性を重視する場合は、伸縮性を有するメッシュ構造であっても良い。また、素材をスイムウェアとして利用されているポリウレタン弾性繊維とすることにより、耐水機能を有するため取り外すことなく、台所等での水仕事をすることも可能となる。
【００３７】  第一関節と第二関節のサポーター本体７は、第一関節部と第二関節部の各々の指の内側の屈曲部分には、可動域を制限させないためと蒸れ防止を目的として通気性を向上させるために開口部３を２ヵ所設けている。開口部３は、指関節の指のしわ方向に長くなるように矩形状に、かつ、第一関節と第二関節のサポーター本体７の第一関節部と第二関節部の各々の位置になるように形成されている。
【００３８】  図６は、本発明に係る別な実施形態である第一関節と第二関節の手指関節用サポーター６ｂを指の爪側から見た図であり、技術的特徴は図３と同様である。第一関節と第二関節の手指関節用サポーター６ｂは、関節部位の保護と指の屈曲方向の安定性促進を目的とし、図５の第一関節と第二関節のサポーター本体７に加え、各々の開口部３の対面の外周上に弓状弾性素材４を備え、弓状弾性素材４が当接する部位は線状弾性素材５で前記弓状弾性素材４を固着して構成される。
弓状弾性素材４は、もう一方の弓状弾性素材４と互いに背を向けるようにＸ字状に当接し、当接部分は線状弾性素材５により固着して、第一関節部及び第二関節部の位置になるように形成される。
Ｘ字状に当接している弓状弾性素材４の交点と線状弾性素材５を固着することにより強度が増し、手指の第一関節、又は、第二関節の曲げ伸ばしにおける関節部の支点軸を形成するとともに、前記支点軸の維持が可能となる。
なお、線状弾性素材５が開口部３の対面位置に配置することが、サポーター機能を安定して発揮するのに好ましい。
【００３９】  図７は、本発明に係る別な実施形態である第一関節と第二関節の手指関節用サポーター６ｃを指の側面から見た図であり、技術的特徴は図４と同様である。第一関節と第二関節の手指関節用サポーターと６ｃは、関節部位の保護と指の左右方向の維持が可能になり、ひねり防止となるように安定性促進を目的とし、図５の第一関節と第二関節のサポーター本体７に加え、図６と同様な弓状弾性素材４と線状弾性素材５を備えている。
第一関節と第二関節の手指関節用サポーター６ｃは、開口部３から円周方向９０°の位置に、線状弾性素材５が配置されるように側面各々に、かつ、第一関節部及び第二関節部の位置に１組ずつ形成されている。両方の側面に弓状弾性素材４と線状弾性素材５が設けられているため、指のひねりに対して痛みを和らげる顕著な効果が期待できる。
【００４０】  図６及び図７の弓状弾性素材４及び線状弾性素材５は、ゴムやシリコン素材等の弾性素材から構成されるが、当該素材に限定されるものではなく、弾性を有する素材であればどのようなものであってもよい。弓状弾性素材４と線状弾性素材５は、接着剤や繊維質の糸で縫いつけて固着させれば良い。
【００４１】  図８は、本発明に係る第一関節と第二関節の手指関節用サポーター６ｃを右手示指に装着し、側面から見た弓状弾性素材４と線状弾性素材５を有する視認図である。
【００４２】  図９は、本発明に係る第一関節と第二関節の手指関節用サポーター６ｃを右手示指に装着し、指の内側から見た２つの開口部３を有する視認図である。
【産業上の利用可能性】
【００４３】  本発明にかかる手指第一関節用サポーターは工業的に安価で量産することが可能で、サポーターの直径や長さを変更すれば、手首、肘、膝や足指などの手足の各関節でも使用することができ、各関節部の変形を隠すこともでき、各関節部の安定性を促進させるという意図において使用することが可能であり、各関節部の各種損傷、或いは各種関節部の近くの筋肉又は軟組織の各種損傷を防止することができる。
本発明は、指関節の屈曲部内側に可動域を制限しないように開口部を設けているが、患部を固定したい場合は、開口部の無い筒状のサポーターで形成しても良い。
【符号の説明】
【００４４】１ａ、１ｂ、１ｃ  第一関節または第二関節の手指関節用サポーター
２                第一関節または第二関節のサポーター本体
３                開口部
４                弓状弾性体
５                線状弾性体
６ａ、６ｂ、６ｃ  第一関節と第二関節の手指関節用サポーター
７                第一関節と第二関節のサポーター本体
【図１】
0005941090.tif 000002
【図２】
0005941090.tif 000003
【図３】
0005941090.tif 000004
【図４】
0005941090.tif 000005
【図５】
0005941090.tif 000006
【図６】
0005941090.tif 000007
【図７】
0005941090.tif 000008
【図８】
0005941090.tif 000009
【図９】
0005941090.tif 000010